(57)【要約】【課題】  無理数スクリーンの処理は、スクリーンの角度、線数を元に自由にスクリーン形状を決められる一方で、三角関数を用いた座標変換演算等、ハードウェアの規模が増大するといった問題があった。【解決手段】  複数色の濃度データで構成される画像データのスクリーン処理を、画像データを構成する色数よりも少ない数で構成される有理数スクリーン処理手段と、画像データを構成する色数よりも少ない数で構成される無理数スクリーン処理手段とを用いて行う。かつ、色コンポーネント単位で、スクリーン処理を切り替えることによって、ハードウェアの回路規模を増大させることなく、最適なスクリーン処理が可能となる。【選択図】  図７
2011082880.tif 000002
【特許請求の範囲】
【請求項１】
N色（Nは2以上の整数）の濃度データで構成される画像データに対して、スクリーン処理を用いて、中間調処理を行う画像処理装置において、
中間調処理を行う中間調処理手段と、
前記中間調処理手段とは以下の手段を有する、
有理数スクリーンを用いて中間調処理を行う第一のスクリーン処理手段と、
無理数スクリーンを用いて中間調処理を行う第二のスクリーン処理手段と、
前記第一のスクリーン処理手段はN色の濃度データのうち、K色の濃度データ（Kは少なくとも1色以上、N色未満の整数）に対応した色コンポーネントと同数で構成され、
前記第二のスクリーン処理手段はN色の濃度データのうち、N-K色の濃度データに対応した色コンポーネントと同数で構成され、
前記N色の濃度データを、前記第一、第二のスクリーン処理手段の数に応じて、前記第一、第二のスクリーン処理手段に選択的に入力を行う濃度データ選択手段とを有することを特徴とする画像処理装置。
【請求項２】
前記、N色の濃度データは、イエロー、マゼンタ、シアン、ブラックの4色であることを特徴とする請求項１に記載の画像処理装置。
【請求項３】
前記、N色の濃度データは、イエロー、マゼンタ、シアン、ブラック、ライトマゼンタ、ライトシアンの6色であることを特徴とする請求項１に記載の画像処理装置。
【発明の詳細な説明】
【技術分野】
【０００１】
本発明は、カラー画像に対して、濃度データ各色をスクリーンによる中間調処理を行う画像処理装置に関する。
【背景技術】
【０００２】
一般に、カラー画像を画像形成装置で形成する場合には、カラー画像を色材に対応する色成分毎に中間調処理を行うスクリーン処理が用いられる。スクリーン処理には、点の密度を変化させて階調を表現するＦＭスクリーンと、点の集まりの大きさを変化させて階調を表現するＡＭスクリーンがある。前者の代表的な手法としては、誤差拡散法などがある。また、後者の代表的な手法としては、スクリーンの閾値マトリクスを用いた有理数スクリーン処理等がある。
【０００３】
ＡＭスクリーンを用いる場合、一定の密度（スクリーン線数）で点を配置するため、スクリーン処理後の画像は周期性を有している。カラー画像の場合、色成分毎にスクリーン処理を施した結果を重ねてカラー画像を形成するため、各々の色成分に適用したスクリーンの周期性によって色モアレと呼ばれる干渉縞が生じることがある。そのため、各色成分において異なるスクリーン角度を持つスクリーンを適用することによって、色モアレの発生を抑えている。
【０００４】
一般的に、色モアレが生じにくいスクリーン角度として、図１２に示すように、マゼンタのスクリーン角度を75度、ブラックのスクリーン角度を45度、シアンのスクリーン角度を15度、イエローのスクリーン角度を0度とする組み合わせが知られている。前述した有理数スクリーン処理を用いた場合、スクリーン角度は、スクリーンの閾値マトリクスで一意に決定される。上述したようなスクリーン角度を自由に設定するには、高解像度の処理が必要になる。そこで、通常、図１３に示すようなスクリーン角度が使用される。図１３において、1301はシアンに対するスクリーンの閾値マトリクスであり、角度が18度となっている。1302はマゼンタに対するスクリーンの閾値マトリクスであり、角度が71度となっている。1303はイエローに対するスクリーンの閾値マトリクスであり、角度が0度となっている。1304はブラックに対するスクリーンの閾値マトリクスであり、角度が45度となっている。このように有理数スクリーン処理では、スクリーン角度を自由に設定することが困難で、上述した理想的なスクリーン角度の組み合わせを実現することは困難である。
【０００５】
また、色モアレを抑制する方法として、多色のスクリーン処理において、色毎にドットスクリーン、ラインスクリーンを切り替えることによって、色モアレを抑制する画像処理装置、方法が提案されている。
【０００６】
一方で、無理数スクリーン処理を用いた多色のスクリーン処理が提案されている。図９は無理数スクリーン処理の概念図である。画素空間上の座標（x,y）をスクリーン角度θとすクリーンの周期2πを用いて、スクリーン空間上の座標（u,v）を求め、所定の（u,v）空間上に定義された閾値テーブルで閾値を演算し、演算された濃度値を画像の解像度に合わせて、画素空間（x,y）に反映させる手法である。この手法では、スクリーン角度を自由に設定することが可能である。
【先行技術文献】
【特許文献】
【０００７】
【特許文献１】特開平10-143328号公報
【特許文献２】特開2007-116433号公報
【発明の概要】
【発明が解決しようとする課題】
【０００８】
しかしながら、複数色の画像に対してスクリーン処理を行う画像処理装置において、参考文献１のようなドットスクリーンとラインスクリーンを併用する方法では、色毎にスクリーンの形が異なるため、画像の見た目の印象が異なってしまう問題点があった。また、無理数スクリーン処理を用いた方法は、従来の有理数スクリーンと比較して、回路規模が３倍程度となる。仮にスクリーン処理を含む画像処理部分をASICやFPGA等のハードウェアチップで構成した場合、回路規模の増大によるコストの増加という問題がある。
【０００９】
本発明は上記従来の問題点に鑑み、有理数スクリーン処理と無理数スクリーン処理を併用し、画像データの色成分に応じて、これらの処理を割り当てる。それによって、コストを抑えたまま、自由度の高いスクリーン角度を設定可能な画像処理装置を提供することを目的とする。
【課題を解決するための手段】
【００１０】
上述した課題を達成するため、本発明の画像処理装置は、
N色（Nは2以上の整数）の濃度データで構成される画像データに対して、
中間調処理を行う中間調処理手段と、前記中間調処理手段は、有理数スクリーンを用いて中間調処理を行う第一のスクリーン処理手段と、無理数スクリーンを用いて中間調処理を行う第二のスクリーン処理手段と、前記第一のスクリーン処理手段はN色の濃度データのうち、K色の濃度データ（Kは少なくとも1色以上、N色未満の整数）に対応した色コンポーネントと同数で構成され、前記第二のスクリーン処理手段はN色の濃度データのうち、N-K色の濃度データに対応した色コンポーネントと同数で構成され、前記N色の濃度データを、前記第一、第二のスクリーン処理手段の数に応じて、前記第一、第二のスクリーン処理手段に選択的に入力を行う濃度データ選択手段とを有することを特徴とする。
【発明の効果】
【００１１】
本発明の画像処理装置によれば、複数色の濃度データで構成される画像データのスクリーン処理を、画像データを構成する色数よりも少ない数で構成される有理数スクリーン処理手段と、画像データを構成する色数よりも少ない数で構成される無理数スクリーン処理手段とを用い、これらを色コンポーネント単位で、スクリーン処理を切り替えることによって、ハードウェアの回路規模を増大させることなく、最適なスクリーン処理が可能となる。
【図面の簡単な説明】
【００１２】
【図１】本発明の実施の形態に係る画像処理装置の一例であるMFPの概観図である。
【図２】本発明の実施の形態に係る画像処理装置の構成を示すブロック図である。
【図３】プリンタエンジンの説明図である。
【図４】操作部の外形図である。
【図５】操作部に表示される表示画面の一例である。
【図６】プリンタ画像処理部のブロック図である。
【図７】ハーフトーン処理部のブロック図である。
【図８】有理数スクリーン処理部のブロック図である。
【図９】無理数スクリーン処理の概念図である。
【図１０】無理数スクリーン処理のブロック図である。
【図１１】プリント画像処理フローを示したフロー図である。
【図１２】スクリーン角度の一例を示す図である。
【図１３】有理数スクリーン処理の閾値マトリクスの例を示す図である。
【図１４】第二の実施形態におけるプリンタ画像処理部のブロック図である。
【図１５】第二の実施形態におけるハーフトーン処理部のブロック図である。
【発明を実施するための形態】
【００１３】
（実施例）
以下、本発明を実施するための最良の形態について図面を用いて説明する。
【００１４】
＜第１の実施の形態＞
図１は、本実施例における画像処理装置、ここでは、複合機の形態をとったMFPの概観図である。図１において、Multi function Peripheral（以下MFPと称す）は、フルカラーでスキャン、およびプリント等が可能なカラーMFPであり、スキャナエンジン101とコントローラ部102と、プリンタエンジン103で構成されている。
【００１５】
図２は、本実施例におけるMFPの構成を示すブロック図である。
【００１６】
CPU201は、コントローラ部102全体を制御する。CPU201はROM202に格納されているブートプログラムによりOS（Operating System）を起動する。このOS上でHDD（ハードディスクドライブ）218に記憶されているコントロールプログラムや各種アプリケーションプログラムを実行させる。CPU201はデータバス204の内部バスによって各部と接続されている。
【００１７】
RAM203は、CPU201の主メモリやワークエリア等の一時記憶領域として動作する。さらに、画像データの一時記憶領域としても使用される。
【００１８】
インターフェース制御部211は、NIC（Network Interface Card）212のネットワークI/Fを制御して、LAN226などのネットワークに対して、画像データをはじめとするさまざまなデータの送受信を行う。また、インターフェース制御部211はモデム213を制御して、公衆回線227に対してデータの送受信を行う。
【００１９】
HDD制御部217はHDD218を制御する。HDD218にはシステム全体を制御するためのコントロールプログラムや各アプリケーションプログラム、画像データなど様々なデータが保存される。HDD218はCPU201、あるいはNIC212、インターフェース制御部211を介して、LAN226上にある別の機器からもアクセス可能となっている。また、隣接したDMAC216によって、RAM203に置かれた画像データを直接HDD218に書き込み可能、あるいは、HDD218上の画像データを直接RAM203に読み出し可能となっている。
【００２０】
スキャナI/F210は、スキャナエンジン101を制御して画像データを取得する。スキャナエンジン101はCCDなどの光学読み取り装置を用いて紙原稿上の画像情報を電気信号データに変換する。スキャナ画像処理部209は色空間処理、フィルタ処理等、スキャナエンジン101からの画像データに対して画像処理を行う。画像圧縮部208はスキャナ画像処理部209で画像処理を行った画像データに対して、画像圧縮処理を行う。画像圧縮部208はDMACを備え、圧縮された画像データをRAM203に転送する。RAM203上の画像データは、DMAC216、HDD制御部217を介して、HDD218に格納される。
【００２１】
ラスターイメージプロセッサ（RIP）215はLAN226から受け取ったPDLデータをビットマップイメージに展開する。画像圧縮部214はRIP215で展開したビットマップイメージを圧縮する。画像圧縮部214はDMACを備え、圧縮された画像データをRAM203に転送する。RAM203上の画像データは、DMAC216、HDD制御部217を介して、HDD218に格納される。
【００２２】
画像圧縮部208、214で圧縮された画像データのサイズはCPU201がジョブ単位、あるいはページ単位で管理し、その情報は画像データと関連付けられて、RAM203に格納される。
【００２３】
プリンタI/F207は、プリンタエンジン103を制御して画像データを紙などに印字する。プリンタデバイス208は記憶媒体である用紙上に画像として印字するものである。プリンタエンジン103の詳細については後述する。HDD218に格納されている画像データはRAM203に転送される、その後、画像データは画像伸張部205のDMACにより、RAM203から画像データを受け取り、画像伸張部205で伸張され、プリンタ画像処理部206に送られる。プリンタ画像処理部206ではプリンタエンジン103の印字方法に合わせて、画像データの色変換処理、ハーフトーン処理等が行われる。プリンタ画像処理部206の詳細な説明は後述する。本実施例では、画像伸張部205、プリンタ画像処理部206、プリンタI/F207がASIC、FPGA等のひとつの半導体チップ上に構成されている。
【００２４】
操作部219は入力制御部220、入力デバイス221、表示制御部222、表示デバイス223で構成される。入力制御部220は、タッチパネルやハードキーといった入力デバイス221からユーザの操作指示を入力する。表示制御部222はLCDやCRTなどの表示デバイス223を制御して、操作画面をユーザに対して表示する。
【００２５】
認証制御部224はカード認証デバイス225を制御する。カード認証デバイス225はユーザの情報が記録されたIDカードを読み取り、電気信号データに変換する。このデータはCPU201によって管理され、MFPの使用許可、HDD218に格納されたデータの所有者情報等に用いられる。
【００２６】
次に、プリンタエンジン103の詳細について説明する。プリンタエンジン103の構成を図３に示す。像担持体としての感光ドラム302、303、304、305がその中心で軸支され、矢印方向に回転駆動される。感光ドラム302〜305の外周面に対向してその回転方向に一次帯電器310、311、312、313、露光制御部301、現像装置306、307、308、309が配置されている。一次帯電器310〜313において感光ドラム302〜305の表面に均一な帯電量の電荷を与える。次いで露光制御部301により、記録画像信号に応じて変調したレーザービームなどの光線を感光ドラム302〜305上に露光させることによって、そこに静電潜像を形成する。さらに、イエロー、シアン、マゼンタ、ブラックといった4色の現像剤（トナー）をそれぞれ収納した現像装置306〜309によって上記静電潜像を顕像化する。顕像化された可視画像を中間転写体に転写する画像転写領域の下流側では、クリーニング装置314、315、316、317により記録紙に転写されずに感光ドラム302〜305上に残されたトナーを掻き落としてドラム表面の清掃を行う。以上に示したプロセスにより、各トナーによる画像形成が順次行われる。
【００２７】
一方、上段カセット322または下段カセット323からピックアップローラ324または325によりピックアップされ、給紙ローラ326または327により搬送される記録紙は、搬送ローラ328によりレジストローラ331まで搬送される。そして、中間転写体319への転写が終了するタイミングで、中間転写体319と転写ベルト320の間に記録紙が搬送される。その後、記録紙は、転写ベルト320により搬送されるとともに中間転写体319に圧着され，中間転写体319上のトナー像が記録紙に転写される。記録紙に転写されたトナー像は、定着ローラおよび加圧ローラ321により加熱および加圧され記録紙に定着される。画像が定着された記録紙は、フェイスアップ排紙口330に排出される。
【００２８】
図４は、操作部219を示す図である。液晶操作パネル401は液晶にタッチパネルを組み合わせたものであり、設定内容の表示、ソフトキーの表示等がなされるものである。スタートキー402はコピー動作等を開始指示するためのハードキーであり、内部に緑色および赤色のLEDが組み込まれており、スタート可能のときに緑色、スタート不可のときに赤色のLEDが点灯する。ストップキー403は動作を停止させるときに使用するハードキーである。リセットキー404は機器の設定をリセットし、パワーキー405は機器の電源のON/OFFを行う役割を持つ。
【００２９】
図５はMFPの操作部219に表示される基本画面を示す図である。尚、図５の操作画面を含む各種のユーザインタフェース（ＵＩ）画面は、MFPコントローラ部102内部のRAM203に表示データとして登録されており、CPU201の制御により、操作部219の液晶操作パネル401に表示可能に構成されている。基本画面の上段には、「コピー」「送信」「ボックス」のタブが表示されている。基本画面の中段から下段には、コピー倍率や用紙サイズを示す表示部、等倍キー、倍率キー、用紙選択キー、ソータキー、両面コピーキー、割込キー等が配置されている。尚、本実施の形態では、コピーモードの設定画面が基本画面として予めユーザにより設定登録されている場合の例として、コピーモードの画面を表示させている。
【００３０】
次に、プリンタ画像処理部205の構成について、図６を用いて説明する。図６において、プリンタ画像処理部205は色変換部601とハーフトーン処理部602で構成される。色変換部601は輝度データRGBで構成される入力画像に対して、濃度データYMCKに変換を行う。ハーフトーン処理部602は濃度データYMCKに対して、ハーフトーン処理を行う。
【００３１】
図７はハーフトーン処理部の詳細図を示した図である。図７において、コンポーネントセレクタ701は入力された濃度データYMCKを後段の有理数スクリーン処理部702、703と無理数スクリーン処理部704、705に選択的に入力する。有理数スクリーン処理部702、703と無理数スクリーン処理部704、705はそれぞれ、有理数スクリーン、無理数スクリーンを用いてスクリーン処理を行うブロックで詳細は後述する。コンポーネントセレクタ706はスクリーン処理を行った濃度データを選択的に出力するブロックである。本実施例では、有理数スクリーン処理部と、無理数スクリーン処理部がそれぞれ２つの構成となっている。
【００３２】
図８は有理数スクリーン処理部702の構成を示したブロック図である。図８において、801はスクリーン閾値マトリクスを保持するSRAMである。画像判定部802は入力データに付加されてくる像域信号を判定する。例えば、ある画素領域が文字であるとか、写真であるといった画像の属性を判定する。閾値算出部803は、スクリーン閾値マトリクスに応じて、ハーフトーン化のための閾値を算出する。ハーフトーニング部804はプリンタエンジン103の特性に応じて、閾値算出部803からの閾値データを用いて、入力された連続階調画像から1bit〜4bit（2値〜16値）のハーフトーン画像を生成する。
【００３３】
図１０は無理数スクリーン処理部704の構成を示したブロック図である。図１０において、1001はスクリーン閾値テーブルを保持するSRAMである。画像判定部802は入力データに付加されてくる像域信号を判定する。座標演算部は、注目する画素が画像全体のどの位置にあるかを座標値として演算する。座標変換部1004は画素座標値(x,y)をスクリーン座標値(u,v)に変換する。以下はその変換式である。
【００３４】
u = ( x ・ cosθ - y ・ sinθ ) ・ f
v = ( x ・ sinθ + y ・ cosθ ) ・ f 
θ : スクリーン角度(°) 
f : スクリーン周期 (radian per dot) 
f = 2π ・ スクリーン線数(line per inch) / 解像度(dot per inch)
すなわち、(x, y)の座標系を角度θだけ回転させ、さらに、スクリーン線数の周期に変換することで、スクリーン1周期分の形状を表すスクリーン閾値テーブル上のアドレス(u,v)を算出する。閾値算出部1005は、得られたスクリーン座標値(u,v)と、スクリーン閾値テーブルを用いて、ハーフトーン化のための閾値を算出する。ハーフトーニング部1006はプリンタエンジン103の特性に応じて、閾値算出部1005からの閾値データを用いて、入力された連続階調画像から1bit〜4bit（2値〜16値）のハーフトーン画像を生成する。
【００３５】
以上、説明したハードウェア構成に基づいて、MFPにおいて、操作部219からのジョブの入力、あるいは、LAN226、公衆回線227からのジョブの受信を受けて、CPU201は各制御部、画像処理部全体を制御する。例として、コピージョブの場合を挙げて、説明する。
【００３６】
操作部219より、コピージョブの投入が指示されると、CPU201はスキャナI/F210にスキャナエンジン101の制御を指示する。スキャナI/F210はスキャナエンジン101を制御し、画像データを取得する。取得した画像データは、スキャナ画像処理部209に送られ、スキャナエンジン101からの画像データに対して画像処理を行う。画像圧縮部208はスキャナ画像処理部209で画像処理を行った画像データに対して、画像圧縮処理を行う。画像圧縮部208に備えられたDMACは圧縮した画像データをRAM203に送信し、送信が完了したことをCPU201に通知する。RAM203上の画像データはCPU201とDMAC216、HDD制御部217によって、HDD218に送られる。HDD218に格納された画像データは、CPU201とDMAC216、HDD制御部217によって、RAM203に送られる。CPU201からの指示により、画像伸張部205に備えられたDMACによって、RAM203の画像データを読み取り、画像の伸張処理を行う。伸張された画像データはプリンタ画像処理部206に送られ、プリント用の画像処理が行われる。プリンタI/F207は、画像処理データを受け取り、プリンタエンジン103を制御して紙などに印字する。
【００３７】
図１１は、プリンタ画像処理の動作フローを示したフローチャートである。図１１において、プリンタ画像処理の動作を行う場合、以下のステップに従う。
【００３８】
CPU201はプリンタ画像処理部205内の色変換部601、ハーフトーン処理部602に対して、データバス204を介して、プリンタ画像処理部205内の不図示のCPU I/Fにより、画像処理の機能レジスタ設定を行う（ステップS1101）。
【００３９】
CPU201はデータバス204を介して、画像伸張部205と内部のDMACに対して、不図示のCPU I/Fにより、データサイズ、転送アドレス、画像伸張に関わるパラーメータ等を機能レジスタに設定を行う（ステップS1102）。
【００４０】
設定が完了した後、CPU201は画像伸張部205のDMACに対して、転送開始のトリガーをかける（ステップS1103）。
【００４１】
画像伸張部205のDMACはRAM203より画像データを取得し、画像伸張を行った後、プリンタ画像処理部206にて、プリンタに関わる画像処理を行う（S1104）。
【００４２】
未処理ページがある場合には、ステップS1101〜S1105を繰り返し、未処理ページがない場合には、終了する（ステップS1105）。
【００４３】
次に図１１におけるステップS1101における画像処理設定処理について、図７のハーフトーン処理部602のブロック図と合わせて説明する。一般的に、イエローの濃度成分は人間の視覚特性から、モアレが目立ちにくい特徴があり、このスクリーン角度を0度とする。したがって、イエローの濃度成分は有理数スクリーン処理部で処理可能である。ブラックに関しても、通常、45度の角度でスクリーン処理をかけることが多く、ブラックの濃度成分は有理数スクリーン処理部で処理可能である。マゼンタ、シアンの濃度成分については、無理数スクリーン処理によって、自由度の高いスクリーン処理を適応する。すなわち、CPU201はコンポーネントセレクタ701、706を以下の組み合わせになるように設定する。
【００４４】
イエロー  有理数スクリーン処理
マゼンタ  無理数スクリーン処理
シアン    無理数スクリーン処理
ブラック  有理数スクリーン処理
色濃度成分と、スクリーン処理の組み合わせを変更する場合には、同様にコンポーネントセレクタ701、706の設定を切り替えることによって、実現することができる。
【００４５】
以上、説明した通り、本発明の画像処理装置においては、複数色の濃度データで構成される画像データのスクリーン処理を、画像データを構成する色数よりも少ない数で構成される有理数スクリーン処理手段と、画像データを構成する色数よりも少ない数で構成される無理数スクリーン処理手段とを用いて行う。これらを色濃度成分単位で、スクリーン処理を切り替えることによって、ハードウェアの回路規模を増大させることなく、最適なスクリーン処理が可能となる。
【００４６】
本実施例では、プリンタ系に関わる処理部205〜207を半導体チップに実装する構成について説明したが、RAM203、ROM202、HDD218、操作部219、カード認証デバイス225を除く、CPU201を含んだコントローラ部102全体を半導体チップにSOC（System On a Chip）として実装する構成としても良い。
【００４７】
＜第２の実施の形態＞
第１の実施の形態では、４色の濃度成分に対して、２つの有理数スクリーン処理手段と２つの無理数スクリーン処理手段を用いて、選択的にスクリーン処理を適用する形態について説明を行った。第２の実施の形態では、６色の濃度成分に対して、同様にスクリーン処理を行う場合の構成について説明を行う。
【００４８】
画像処理装置であるMFPの構成については、第１の実施の形態と同様であり、説明を省略する。６色対応のプリンタエンジンについて４色の構成と異なるのは、感光ドラム、一次帯電器、現像装置、クリーニング装置のセットが２色分追加された構成となることである。また、プリンタ画像処理部205については、図１４に示すように色変換部1401によって、輝度データRGBが濃度データY、M、LM（ライトマゼンタ）、C、LC（ライトシアン）、Kへと色空間変換される。ハーフトーン処理部1402も同様に６色対応したものとなっている。ハーフトーン処理部1402は図１５にしめすように、６色分のデータパスが用意され、本実施例では、４つの有理数スクリーン処理部1502〜1505と、２つの無理数スクリーン処理部1506、1507が具備されている。色濃度成分に対応したスクリーン処理の切り替えは、コンポーネントセレクタ1501、1508で行われる。MFPの処理フロー、プリンタ画像処理の動作フローについても、色成分が４色から６色になったことが大きな変更点であることを除いて、基本的に第１の実施の形態と同様であるため、説明を省略する。
【００４９】
なお、第２の実施の形態では６色の処理系について説明を行ったが、５色、あるいは７色以上の処理系についても、本発明が適用可能である。
【符号の説明】
【００５０】
101  スキャナエンジン
102  コントローラ部
103  プリンタエンジン
201  CPU
202  ROM
203  RAM
204  内部バス
205  画像伸張部およびDMAC
206  プリンタ画像処理部
207  プリンタI/F
208  画像圧縮部およびDMAC
209  スキャナ画像処理部
210  スキャナI/F
211  インターフェース制御部
212  NIC
213  モデム
214  画像圧縮部およびDMAC
215  RIP
216  DMAC
217  HDD制御部
218  HDD
219  操作部
601  色変換部
602  ハーフトーン処理部
701  コンポーネントセレクタ
702  有理数スクリーン処理部
703  有理数スクリーン処理部
704  無理数スクリーン処理部
705  無理数スクリーン処理部
706  コンポーネントセレクタ
【図１】
2011082880.tif 000003
【図２】
2011082880.tif 000004
【図３】
2011082880.tif 000005
【図４】
2011082880.tif 000006
【図５】
2011082880.tif 000007
【図６】
2011082880.tif 000008
【図７】
2011082880.tif 000009
【図８】
2011082880.tif 000010
【図９】
2011082880.tif 000011
【図１０】
2011082880.tif 000012
【図１１】
2011082880.tif 000013
【図１２】
2011082880.tif 000014
【図１３】
2011082880.tif 000015
【図１４】
2011082880.tif 000016
【図１５】
2011082880.tif 000017